(57)【要約】【課題】ヘッドドラム装置の外周に所定の位相にて磁気テープが巻き付けられる時に、磁気テープが回転ドラムの外周よりも高い範囲において、磁気テープが回転ドラムの上へ乗り上げないように、上固定ドラムの外周における磁気テープと対向する面積を出来る限り小さく形成することにより、小型軽量で、且つ安価なヘッドドラム装置を提供することを目的とする。【解決手段】上固定ドラム５の外周について、磁気テープ２と上固定ドラム５が対向する範囲において、磁気テープ２の高さよりも高い微小面積の外周壁５ａを設けることによって、上固定ドラム５が小型軽量化で、且つ樹脂材料や金属鋳物で成形可能なヘッドドラム装置を得ることが出来る。【選択図】図１
2006147021.tif 000002
【特許請求の範囲】
【請求項１】
磁気テープを巻き付けて、前記磁気テープに対して信号の記録再生を行うヘッドドラム装置であって、
前記磁気テープ下端を支持して案内する下固定ドラムと、
前記下固定ドラムの上側に同軸的に回転し、少なくとも一つの磁気ヘッドを有し、外周の軸方向長さが磁気テープの幅よりも小さい回転ドラムと、
前記回転ドラムの上側に同軸的に設けられた上固定ドラムと、
前記上固定ドラムに前記磁気テープの上端の一部を支持する凸部とを備え、
本装置に前記磁気テープを巻回し前記下固定ドラムで前記磁気テープを支持している時、前記上固定ドラムの少なくとも一部が前記磁気テープの上端よりも下側に位置し、前記凸部の上端が前記磁気テープの上端よりも上側に位置するように構成したことを特徴とするヘッドドラム装置。
【請求項２】
凸部は、上固定ドラムの半径方向外側に向かって突出する突出部を形成したことを特徴とする請求項１記載のヘッドドラム装置。
【請求項３】
上固定ドラムが、樹脂材料や金属鋳物で成形されていることを特徴とする請求項１または２記載のヘッドドラム装置。
【請求項４】
磁気テープに対して信号の記録再生を行う磁気記録再生装置であって、
前記磁気テープ下端を支持して案内する下固定ドラムと、前記下固定ドラムに対し同軸的に回転し少なくとも一つの磁気ヘッドを有した回転ドラムと、前記回転ドラムの上側に同軸的に設けられた上固定ドラムと、前記上固定ドラムに前記磁気テープの上端の一部を支持する凸部とからなるヘッドドラム手段と、
前記磁気テープをテープカセットから引き出し前記ヘッドドラム装置に巻き付ける第１及び第２のテープ案内手段とを備え、
前記凸部は、前記第１及び第２のテープ案内手段によって前記磁気テープを前記ヘッドドラムに巻回す際、前記磁気テープが前記ヘッドドラム装置に最初に当接する部位近傍に配したことを特徴とする磁気記録再生装置。
【請求項５】
凸部は、上固定ドラムの半径方向外側に向かって突出する突出部を形成したことを特徴とする請求項４記載の磁気記録再生装置。
【請求項６】
上固定ドラムが、樹脂材料や金属鋳物で成形されていることを特徴とする請求項４または５記載の磁気記録再生装置。
【発明の詳細な説明】
【技術分野】
【０００１】
本発明は、ビデオテープレコーダー等の磁気記録再生装置に用いることができるヘッドドラム装置に関するものである。
【背景技術】
【０００２】
近年、小型ビデオカメラに代表される磁気記録再生装置などに使用されるヘッドドラム装置は、小型化を図るために磁気ヘッドを固着した回転ドラムの上下方向に固定ドラムを設置して、３層のドラム構成とすることが多い（例えば特許文献１参照）。
【０００３】
以下に従来のヘッドドラム装置について説明する。
【０００４】
図６は従来のヘッドドラム装置の斜視図、図７は従来のヘッドドラム装置の側面図を示す。図において、１は磁気テープ２を案内する下固定ドラム、３は下固定ドラム１に同軸的に配置され、外周の軸方向長さが磁気テープ２よりも幅が小さい回転ドラム、４は回転ドラム３に少なくとも一つ固着された磁気ヘッド、１０は回転ドラム３の上に設けられた上固定ドラム、１０ａは磁気テープ２と対向する面積以上を要する、上固定ドラム１０の外周壁である。なお、下固定ドラム１や上固定ドラム１０の内部には、回転ドラム３を駆動するためのモータ構成部品（図示せず）、又は電気回路と磁気ヘッド間で映像、音声信号を伝送するためのロータリートランス（図示せず）などの部品が収納されている。
【０００５】
こうしたヘッドドラム装置１１においては、磁気テープ２の記録および再生がなされる場合は、下固定ドラム１で案内された磁気テープ２はヘッドドラム装置１１の外周に所定の位相にて巻き付けられる。また、磁気ヘッド４が安定して磁気テープ２に接触するために、磁気テープ２が巻き付けられる外周を形成する下固定ドラム１と回転ドラム３は同軸的に配置される。
【０００６】
以上のように図７のように構成された従来のヘッドドラム装置１１について、以下にその動作について説明する。
【０００７】
磁気ヘッド４を含む回転ドラム３が回転することによって、磁気ヘッド４が磁気テープ２に接触する間に、映像および音声等の情報が記録される。また、記録済みの磁気テープ２であれば、上述と同じ動作で映像および音声等の記録情報を再生することができる。
【特許文献１】特開２００２−１８３９２０号公報（第６頁、図２）
【発明の開示】
【発明が解決しようとする課題】
【０００８】
ここで上記の従来の構成では、ヘッドドラム装置１１の外周に所定の位相にて磁気テープ２が巻き付けられる時に、磁気テープ２が回転ドラム３の外周よりも高い範囲において、磁気テープ２が上固定ドラム１０の上へ乗り上げないように、磁気テープ２と対向する面積以上を要する外周壁１０ａを形成する上固定ドラム１０を配置している。つまり、図８に示すように、磁気テープ２に矢印Ａ方向の力がかかり、磁気テープ２の幅方向上端が図示のように上固定ドラム１０の上端よりも高くなる位置まで上昇し、そのまま磁気テープ２が上固定ドラム１０の上面へ乗り上げてしまう可能性があり、それを防ぐために外周壁１０ａを高くする必要がある。従来構成では、上固定ドラム１０の最上端が、図７に示すように正常に磁気テープ２が巻回された状態で磁気テープ２の幅方向上端よりも高くなるように、上固定ドラム１０の高さ方向寸法を設定している（図中Ｌ１部）。なお、磁気テープ２が上固定ドラム１０の上部へ乗り上げると、磁気テープ２にテープダメージを与えたり、磁気テープ２がヘッドドラム装置１１周辺のメカニズム部品に絡まったりするなどの問題が生じる。
【０００９】
しかしながら、こうした上記従来の構成では、上固定ドラム１０の外周壁１０ａの高さ方向の寸法を大きくし表面積がある程度大きくなることで、ヘッドドラム装置１１の小型化や軽量化にとって不利である。
【００１０】
また、上固定ドラム１０の磁気テープ２と対向した外周壁１０ａは、磁気ヘッド４が安定して磁気テープ２に接触するために、回転ドラム３の上に同軸的に配置出来るように精密な精度が要求されるため、金属切削などの精密加工が必要となり、加工費が高くなる。
【００１１】
本発明は上記従来の課題を解決するもので、上固定ドラムの外周について、磁気テープと対向する面積を出来る限り小さく形成することで、上固定ドラムの小型軽量化を可能とし、且つ切削などの精密加工を用いずに、樹脂材料や金属鋳物で成形された上固定ドラムを具備することで、小型軽量で安価なヘッドドラム装置を提供することを目的とする。
【課題を解決するための手段】
【００１２】
この目的を達成するために本発明のヘッドドラム装置は、磁気テープを案内する下固定ドラムと、前記下固定ドラムに対し同軸的に回転し、少なくとも一つの磁気ヘッドを有し、外周の軸方向長さが磁気テープよりも幅が小さい回転ドラムと、前記回転ドラムに対し同軸的に設けられた上固定ドラムを備え、前記上固定ドラムの外周部に、磁気テープの高さよりも高い微小面積の壁を少なくとも1ヶ所以上設けることで、磁気テープがヘッドドラム装置に巻き付けられるなどの動作中に、磁気テープが前記回転ドラムの上へ乗り上げることがなく、小型軽量で安価な上固定ドラムを具備するヘッドドラム装置を提供することができる。
【発明の効果】
【００１３】
以上のように本発明は、上固定ドラムの外周について、磁気テープと対向する面積を出来る限り小さく形成することにより、上固定ドラムが小型軽量化されるとともに、精密な精度を必要とせず、安価な樹脂材料などで成形出来るという効果が得られる。ひいては、ヘッドドラム装置全体を小型軽量化でき、ヘッドドラム装置を用いた磁気記録再生装置を小型軽量化できるものである。
【００１４】
また、簡単な構成で、磁気テープがヘッドドラム装置の上部へ乗り上げるのを防止することができる。
【発明を実施するための最良の形態】
【００１５】
本発明の請求項１に記載の発明は、磁気テープを巻き付けて、前記磁気テープに対して信号の記録再生を行うヘッドドラム装置であって、前記磁気テープ下端を支持して案内する下固定ドラムと、前記下固定ドラムの上側に同軸的に回転し、少なくとも一つの磁気ヘッドを有し、外周の軸方向長さが磁気テープの幅よりも小さい回転ドラムと、前記回転ドラムの上側に同軸的に設けられた上固定ドラムと、前記上固定ドラムに前記磁気テープの上端の一部を支持する凸部とを備え、本装置に前記磁気テープを巻回し前記下固定ドラムで前記磁気テープを支持している時、前記上固定ドラムの少なくとも一部が前記磁気テープの上端よりも下側に位置し、前記凸部の上端が前記磁気テープの上端よりも上側に位置するように構成したものであり、これにより、装置全体を小型軽量化しつつ、磁気テープが上固定ドラムの上部に乗り上げるのを防止することができる。
【００１６】
請求項２に記載の発明は、凸部は、上固定ドラムの半径方向外側に向かって突出する突出部を形成したものであり、これにより、上固定ドラムの上部への磁気ヘッドの乗り上げを、さらに防止させることができる。
【００１７】
請求項４に記載の発明は、磁気テープに対して信号の記録再生を行う磁気記録再生装置であって、前記磁気テープ下端を支持して案内する下固定ドラムと、前記下固定ドラムに対し同軸的に回転し少なくとも一つの磁気ヘッドを有した回転ドラムと、前記回転ドラムの上側に同軸的に設けられた上固定ドラムと、前記上固定ドラムに前記磁気テープの上端の一部を支持する凸部とからなるヘッドドラム手段と、前記磁気テープをテープカセットから引き出し前記ヘッドドラム装置に巻き付ける第１及び第２のテープ案内手段とを備え、前記凸部は、前記第１及び第２のテープ案内手段によって前記磁気テープを前記ヘッドドラムに巻回す際、前記磁気テープが前記ヘッドドラム装置に最初に当接する部位近傍に配したものであり、これにより、装置全体を小型軽量化しつつ、磁気テープが上固定ドラムの上部に乗り上げるのを防止することができる。
【００１８】
請求項５に記載の発明は、凸部は、上固定ドラムの半径方向外側に向かって突出する突出部を形成したものであり、これにより、上固定ドラムの上部への磁気ヘッドの乗り上げを、さらに防止させることができる。
【００１９】
（実施の形態１）
図１は本発明の実施の形態１におけるヘッドドラム装置の斜視図、図２（ａ）は本発明の実施の形態１におけるヘッドドラム装置６の側面図、同図（ｂ）は外周壁近傍の拡大側面図を示す。また、図３はヘッドドラム装置６を上面から見た平面図を示すものであり、同図は本装置に対して磁気テープを巻き付け開始する時の状態を示す。
【００２０】
図において、２は映像音声信号をはじめとする各種信号を記録可能なテープ状記録媒体である磁気テープ、２ａは磁気テープ２の幅方向の上端縁部である上端部、２ｂは下端縁部である下端部である。磁気テープ２は、ヘッドドラム装置６に対して螺旋状に巻回される。
【００２１】
１は磁気テープ２を案内する略円筒形状の下固定ドラム、１ａは下固定ドラム１の外周面（テープ摺動面）に螺旋状に形成されたガイド部で、ガイド部１ａにより磁気テープ２の下端部２ｂを支持することで、磁気テープ２の下方向への位置決めをしている。
【００２２】
３は下固定ドラム１に同軸的に回転自在に配置された略円筒形状の回転ドラムで、外周の軸方向長さＬ２が磁気テープ２の幅Ｌ３よりも小さい。
【００２３】
４は回転ドラム３に少なくとも一つ固着され磁気テープ２との間で信号の授受を行う磁気ヘッドで、回転ドラム３内に配置され、その一部が回転ドラム３に設けられた開口部から外部に露出し、回転ドラム３に巻回される磁気テープ２の記録面に摺動するようになっている。
【００２４】
５は回転ドラム３の上に同軸的に固定された上固定ドラムで、本実施の形態では樹脂一体成型で構成しているが、このような構成に限らず金属で一体成型としてもよいし、一部のみ樹脂成形としてもよく、特に限定されるものではない。
【００２５】
５ｂは上固定ドラム５において磁気テープ２が摺動する摺動面で、略円筒形状を成しており、その円周寸法は回転ドラム３とほぼ同等であるか、僅かに小さくなるように設定されている。高さ方向寸法Ｌ４は、ヘッドドラム装置全体の小型化のために極力小さく設定されている。また、摺動面５ｂは磁気テープ２をスムーズに摺接走行可能なように表面処理を施してもよい。
【００２６】
５ａは上固定ドラム５における摺動面５ｂに設けられた凸部である外周壁で、上端部５ｃ、摺動面５ｄより構成されている。外周壁５ａは、磁気テープ２と上固定ドラム５とが対向する範囲において磁気テープ２の高さよりも高い寸法を有しており、すなわち摺動面５ｄの高さ方向の寸法Ｌ６は、磁気テープ２を巻回した時の磁気テープ２の上端部２ａよりも高くなるように寸法設定されている。また、摺動面５ｄの表面積は、少なくとも磁気テープ２が上固定ドラム５の上部へ乗り上げないような微小面積であればよく、磁気テープ２の一部のみを支持できる大きさであればよい。また、本実施の形態では、磁気テープ２を水平方向に傾斜させてヘッドドラム装置６に巻回し、その傾斜角度に合わせて外周壁５ａの上端部５ｃを傾斜させた形状（つまりＬ６≠Ｌ７）にしているが、傾斜させない水平形状（つまりＬ６＝Ｌ７）にする構成などが考えられ、このような形状に限定されるものではなく、上端部５ｃの位置が少なくとも磁気テープ２の上端部２ａよりも上部に位置すればよい。また、外周壁５ａの横幅寸法Ｌ５は、磁気テープ２が上固定ドラム２の上部に乗り上げないような寸法に設定しておけばよく、小型化のために極力小さくする必要がある。
【００２７】
また本実施の形態では、摺動面５ｄは、上固定ドラム５の摺動面５ｂと面一になるように構成したが、摺動面５ｂと摺動面５ａとの間に段差を設けてもよく、例えば摺動面５ｄを摺動面５ｂよりも内周方向へ低くなるようにする構成が考えられる。また、外周壁５ａは、本実施の形態では部品点数削減や製造工数削減のために、上固定ドラム５と一体構成としたが、別部材としてもよい。また、本実施の形態では、上固定ドラム５を樹脂成型とし、外周壁５ａを上固定ドラム５に対して樹脂一体成型としているが、これに限るものではなく金属で構成してもよく、材料や製法は限定しない。
【００２８】
また、本実施の形態では、外周壁５ａを上固定ドラム５に１カ所設けたが、装置の小型化を維持でき、かつ磁気テープ２が上固定ドラム５の上部に乗り上がるのを防止できれば、複数箇所に設けてもよい。
【００２９】
また、外周壁５ａの位置は、本実施の形態では図３に示すように上固定ドラム５におけるテープカセット２０側の端部に設けているが、この位置に限定されるものではない。テープガイド８及び９によって磁気テープ２をヘッドドラム装置６に巻回す際に、上固定ドラム５において最初に磁気テープ２が接触あるいは当接する部位に設ければよい。
【００３０】
６は上固定ドラム５と回転ドラム３と下固定ドラム１とで構成されるヘッドドラム手段であるヘッドドラム装置である。なお、ヘッドドラム装置６の内部には支軸を有し、その支軸の両端にそれぞれ上固定ドラム５と下固定ドラム１とが、圧入や螺合により固定されている。そして、上固定ドラム５と下固定ドラム１との間には、支軸に軸受けを介して回転自在に回転ドラム３が保持されている。
【００３１】
なお、下固定ドラム１や上固定ドラム５の内部には、回転ドラム３を駆動するためのモータ構成部品（図示せず）、又は電気回路と磁気ヘッド間で映像音声信号を伝送するためのロータリートランス（図示せず）が収納されている。こうしたヘッドドラム装置６においては、磁気テープ２の記録および再生がなされる場合は、下固定ドラム１で案内された磁気テープ２はヘッドドラム装置６の外周に所定の位相にて巻き付けられる。また、磁気ヘッド４が安定して磁気テープ２に接触するために、磁気テープ２が巻き付けられる外周を形成する下固定ドラム１と回転ドラム３は同軸的に配置される。また、上固定ドラム５と回転ドラム３と下固定ドラム１は、それぞれ互いに微小隙間を介して位置している。
【００３２】
また、図３を説明すると、８と９は磁気テープ２をヘッドドラム装置６に巻き付けるための第１及び第２のテープ案内手段であるテープガイドであり、図３に記載したように、テープガイド８、９の動作方向（矢印Ｂ方向）によって、磁気テープ２はヘッドドラム装置６に巻き付けられる。２０は磁気テープ２を２個のリールに巻回して内包したテープカセット、２１はモータなどの駆動手段によって回転駆動されるキャプスタン、２２は磁気テープ２をキャプスタン２１に圧着しキャプスタン２１の回転によって磁気テープ２を所定速度で走行させるピンチローラである。
【００３３】
以上のように構成された本実施の形態について、以下その動作について説明する。
【００３４】
図３に示すように、テープガイド８及び９がテープカセット２０内の磁気テープ２を、ヘッドドラム装置６側へと引き出す。テープガイド８及び９によって引き出された磁気テープ２は、テープガイド８及び９が矢印Ｂに示すように、ヘッドドラム装置６の側部近傍を移動することで、ヘッドドラム装置６の側面に所定角度にて巻回される。
【００３５】
次に、ヘッドドラム装置６の回転ドラム３を矢印Ｄ方向へ高速回転させ、キャプスタン２１やピンチローラ２２などのテープ駆動手段（図示せず）によって磁気テープ２を矢印Ｃ方向へ走行させる。そして、回転ドラム３に設けられた磁気ヘッド４によって、磁気テープ２に対して映像音声信号などの各種信号を記録したり、磁気テープ２に記録された映像音声信号などの各種信号を再生することができる。
【００３６】
ここで、図２に示すように、磁気テープ２をヘッドドラム装置６に巻回した状態では、磁気テープ２の幅方向の下端部２ｂは、下固定ドラム１のガイド部１ａに支持され、磁気テープ２の下方向への位置規制が成されている。回転ドラム３が高速回転することで、磁気ヘッド４が磁気テープ２の記録面に対して、斜めに記録トラックを形成することができる。また、上固定ドラム５に外周壁５ａを設けたことで、ヘッドドラム装置６の半径方向内側への規制を行っている。つまり、磁気テープ２が上固定ドラム５の上部に乗り上げないように規制している。
【００３７】
図示のように、本装置に磁気テープ２を巻回し下固定ドラム１で磁気テープ２を支持している時、上固定ドラム５の少なくとも一部が磁気テープ２の上端２ａよりも下側に位置し、凸部（外周壁５ａ）の上端部５ｃが磁気テープ２の上端部２ａよりも上側に位置するように構成している。
【００３８】
また、図３に示すように、上固定ドラム５の微小面積の外周壁５ａは、テープガイド８と９を介して磁気テープ２が、ヘッドドラム装置６に巻き付けられる開始の位置に設けられる。すなわち、テープガイド８及び９によって、磁気テープ２をヘッドドラム装置６に巻回す際に、上固定ドラム５において、最初に磁気テープ２が接触する部位に設けるのである。具体的には、例えば図３に示すようにテープガイド８及び９を移動させる構成の場合は、外周壁５ａは上固定ドラム５における、テープカセット２０に近い側の端部に設けられる。
【００３９】
これにより、磁気テープ２は、ヘッドドラム装置６に巻き付く過程において、上固定ドラム５の微小面積の外周壁５ａに支えられるため、回転ドラム３の上へ乗り上げることなく、ヘッドドラム装置６に巻き付けられる。
【００４０】
なお、上固定ドラム５の微小面積の外周壁５ａは、磁気テープ２が、ヘッドドラム装置６に巻き付けられる開始の位置（つまり図３の位置）だけでなく、テープガイド８と９を介して磁気テープ２が、ヘッドドラム装置６に巻き付きを完了するまでの範囲に追加されてもよい。これにより、磁気テープ２がヘッドドラム装置６に巻き付く過程において、振動などの外乱により、磁気テープ２の挙動が不安定になり、磁気テープ２が上方向（図２の矢印Ｅ方向）に移動しても、追加された微小面積の外周壁５ａに支えられるため、上固定ドラム５の上へ乗り上げることなく、ヘッドドラム装置６に巻き付けられる。
【００４１】
こうして構成されたヘッドドラム装置６においては、磁気ヘッド４を含む回転ドラム３が回転することによって、磁気ヘッド４が磁気テープ２に接触する間に、映像および音声等の情報が記録される。また、記録済みの磁気テープ２であれば、上述と同じ動作で映像および音声等の記録情報を再生することができる。
【００４２】
以上のように本実施の形態によれば、上固定ドラム５の外周について、磁気テープ２と上固定ドラム５が対向する範囲において、磁気テープ２の高さよりも高い微小面積の外周壁５ａを設けて、磁気テープ２と対向する面積を出来る限り小さく形成することにより、上固定ドラム５が小型軽量化されるヘッドドラム装置を得ることが出来る。
【００４３】
た、外周壁５ａを、上固定ドラム５における、磁気テープ巻き付け時に最初に磁気テープ２が当接する位置に設けることにより、磁気テープ２が上固定ドラム５の上部に乗り上げるのを防止することができる。
【００４４】
（実施の形態２）
図４は本発明の実施の形態２におけるヘッドドラム装置７の側面図を示す。なお、図４においては、１〜６は図１及び２と同様であるので詳細説明は省略し、外周壁１５ａは図１及び図２の外周壁５ａと同一構成であるので詳細説明は省略する。また図５は、上固定ドラム５に設けられた微小面積の外周壁１５ａの拡大断面図を示すものであり、図４における矢印Ｆ−Ｆ部の断面である。
【００４５】
図において、１５ａは上固定ドラム５における摺動面５ｂに設けられた凸部である外周壁で、上端部１５ｃ、摺動面１５ｄより構成されている。外周壁１５ａは、磁気テープ２と上固定ドラム５とが対向する範囲において磁気テープ２の高さよりも高い寸法を有している。すなわち、磁気テープ２の上端部２ａよりも上端部１５ｃの方が高くなるように、摺動面１５ｄの高さ方向の寸法Ｌ１６が設定されている。また、摺動面１５ｄの表面積は、少なくとも磁気テープ２が上固定ドラム５の上部へ乗り上げないような微小面積であればよく、磁気テープ２の一部のみを支持できる大きさであればよい。また、本実施の形態では、磁気テープ２を水平方向に傾斜させてヘッドドラム装置７に巻回し、その傾斜角度に合わせて外周壁１５ａの上端部１５ｃを傾斜させた形状にしているが、傾斜させない水平形状にする構成などが考えられ、このような形状に限定されるものではなく、上端部１５ｃの位置が少なくとも磁気テープ２の上端部２ａよりも上部に位置すればよい。
【００４６】
また本実施の形態では、摺動面１５ｄは、上固定ドラム５の摺動面５ｂと面一になるように構成したが、摺動面５ｂと摺動面１５ｄとの間に段差を設けてもよく、例えば摺動面１５ｄを摺動面５ｂよりも内周方向へ低くなるようにする構成が考えられる。また、外周壁１５ａは、本実施の形態では部品点数削減や製造工数削減のために、上固定ドラム５と一体構成としたが、別部材としてもよい。また、本実施の形態では、上固定ドラム５を樹脂成型とし、外周壁１５ａを上固定ドラム５に対して樹脂一体成型としているが、これに限るものではなく金属で構成してもよく、材料や製法は限定しない。
【００４７】
また、本実施の形態では、外周壁１５ａを上固定ドラム５に１カ所設けたが、装置の小型化を維持でき、かつ磁気テープ２が上固定ドラム５の上部に乗り上がるのを防止できれば、複数箇所に設けてもよい。
【００４８】
また、外周壁１５ａの位置は、本実施の形態では図３に示すように上固定ドラム５におけるテープカセット２０側の端部に設けているが、この位置に限定されるものではない。テープガイド８及び９によって磁気テープ２をヘッドドラム装置７に巻回す際に、上固定ドラム５において最初に磁気テープ２が接触あるいは当接する部位に設ければよい。
【００４９】
１５ｂは外周壁１５ａにおいて上固定ドラム５の半径方向外側に向かって突出して設けられた突出部である凸部であり、本実施の形態では、外周壁１５ａの最上部に設けたが、この位置に限定されない。また、凸部１５ｂは、図５に示すように、外周壁１５ａの磁気テープ摺動面側から、略水平に突出した構成となっている。その突出量は、最低でも磁気テープ２の厚さ以上は有しており、磁気テープ２を確実に位置決めさせるためには、回転ドラム３の回転時に磁気テープ２とヘッドドラム装置６との間に発生する空気層（エアフィルム）や、磁気テープ２の挙動変化によるヘッドドラム装置６に対する浮上量などを考慮して、ある程度の突出量が必要である。また、本実施の形態では、凸部１５ｂは図４に示すように、外周壁１５ａの上端の傾斜形状に合わせて配されているが、これに限定されるものではない。また、凸部１５ｂは、外周壁１５ａの幅方向全域に渡って形成されているが、一部に形成してもよい。
【００５０】
以上のように構成された本実施の形態について、以下その動作について説明する。
【００５１】
図４および図５に示すように、上固定ドラム５に設けられた微小面積の外周壁１５ａの最上部に設けられた凸部１５ｂは、磁気テープ２よりも上側に位置するように形成されている。このような構成であれば、図３に示すような、テープガイド８と９を介して、磁気テープ２がヘッドドラム装置１０に巻き付けられる時に、テープガイド８、９の動作による微小な振動の影響により、磁気テープ２の挙動が不安定になり、磁気テープ２が上方向（図４の矢印Ｇ方向）に移動しても、外周壁１５ａの最上部に設けられた凸部１５ｂに磁気テープ２の上端部２ａが当接して上方向への移動が規制され、さらなる磁気テープ２の上方向（矢印Ｇ方向）への移動を抑止することが出来る。
【００５２】
これにより、磁気テープ２は、ヘッドドラム装置７に巻き付く過程において、装置に対して振動などの外乱が発生して磁気テープ２が上方向へ変位しても、上固定ドラム５の微小面積の外周壁１５ａ、および微小面積の外周壁１５ａの最上部に設けられた凸部１５ｂにより支持あるいは規制されるため、上固定ドラム５の上へ乗り上げることなく、ヘッドドラム装置７に巻き付けられる。
【００５３】
こうして構成されたヘッドドラム装置７においては、磁気ヘッド４を含む回転ドラム３が回転することによって、磁気ヘッド４が磁気テープ２に接触する間に、映像および音声等の情報が記録される。また、記録済みの磁気テープ２であれば、上述と同じ動作で映像および音声等の記録情報を再生することができる。
【００５４】
以上のように本実施の形態によれば、上固定ドラム５の外周について、磁気テープ２と上固定ドラム５が対向する範囲において、磁気テープ２の高さよりも高い微小面積の外周壁１５ａを設け、且つ外周壁１５ａの最上部に凸部１５ｂを設けて、磁気テープ２と対向する面積を出来る限り小さく形成することにより、上固定ドラム５が小型軽量化されるヘッドドラム装置を得ることが出来る。
【００５５】
（実施の形態３）
本発明の実施の形態３については、図２で示すヘッドドラム装置６に具備された上固定ドラム５が、樹脂材料や金属鋳物で成形されることにより、切削加工を用いることなく、微小面積の外周壁５ａを設けられる。これは、磁気テープ２と対向する面積が小さいため、切削加工のような非常に精密な加工精度を必要としないことにより、樹脂材料や金属鋳物で容易に成形することが可能となる。なお、本発明の実施の形態３については、図４で示すヘッドドラム装置７についても適用が可能である。
【００５６】
こうして構成されたヘッドドラム装置６および７においては、磁気ヘッド４を含む回転ドラム３が回転することによって、磁気ヘッド４が磁気テープ２に接触する間に、映像および音声等の情報が記録される。また、記録済みの磁気テープ２であれば、上述と同じ動作で映像および音声等の記録情報を再生することができる。
【００５７】
以上のように本実施の形態によれば、上固定ドラムの外周について、磁気テープと対向する面積を出来る限り小さく形成することにより、上固定ドラムは、精密な加工精度を必要としない、樹脂材料や金属鋳物で容易に成形可能となり、安価なヘッドドラム装置を得ることが出来る。
【産業上の利用可能性】
【００５８】
本発明にかかるヘッドドラム装置は、ビデオカメラなどの磁気記録再生装置に有用であり、小型軽量で、且つ安価に製造することに適している。その用途としては、ビデオテープレコーダー、デジタルビデオカメラ、ＤＡＴ（デジタルオーディオテープレコーダー）などがあるが、回転ヘッドを用いて磁気テープに信号の記録再生を行うものであればよい。
【図面の簡単な説明】
【００５９】
【図１】本発明の実施の形態１におけるヘッドドラム装置の斜視図
【図２】本発明の実施の形態１におけるヘッドドラム装置の側面図
【図３】本発明のヘッドドラム装置と磁気テープ巻き付き開始状態の上面図
【図４】本発明の実施の形態２におけるヘッドドラム装置の断面図
【図５】本発明の実施の形態２における上固定ドラムの外周壁の拡大断面図
【図６】従来のヘッドドラム装置の斜視図
【図７】従来のヘッドドラム装置の側面図
【図８】従来のヘッドドラム装置の側面図
【符号の説明】
【００６０】
１    下固定ドラム
２    磁気テープ
３    回転ドラム
４    磁気ヘッド
５    上固定ドラム
５ａ    外周壁
５ｂ    凸部
６    ヘッドドラム装置
８、９    テープガイド
【図１】
2006147021.tif 000003
【図２】
2006147021.tif 000004
【図３】
2006147021.tif 000005
【図４】
2006147021.tif 000006
【図５】
2006147021.tif 000007
【図６】
2006147021.tif 000008
【図７】
2006147021.tif 000009
【図８】
2006147021.tif 000010